(57)【要約】      （修正有）【課題】構造が簡単で、簡単に組み立てでき、かさばらずに運搬できる段ボールベッドを提供する。【解決手段】短手方向に沿って横並びの３個の開口孔と、開口孔の長手方向両端に設けられ、長手方向に延び、一端が開口孔に通じる１２個のスリットと、を有し、コ字形に折り曲げられて脚部が形成されるＡ部材１と、長手方向の両端に設けられた切欠き孔と、切欠き孔の短手方向両側に設けられ、長手方向に延び、一端が外側に開放された４個のスリットと、を有し、コ字形に折り曲げられて脚部が形成されるＢ部材２と、長手方向半分の長さに折り曲げ可能で、２枚からなる天板３と、が備えられ、Ａ部材と３個のＢ部材の脚部が直交するように嵌合されて台座５が形成されると共に、３個の台座が一列に並べられて台座体６が形成され、台座体の上に天板が載置される。【選択図】図６
0003226650.tif 000002
【実用新案登録請求の範囲】
【請求項１】
短手方向に沿って横並びの３個の開口孔（１ａ）と、開口孔（１ａ）の長手方向両端に設けられ、長手方向に延び、一端が開口孔（１ａ）に通じる１２個のスリット（４）と、を有し、コ字形に折り曲げられて脚部（１０）が形成されるＡ部材（１）と、
長手方向の両端に設けられた切欠き孔（２ａ）と、切欠き孔（２ａ）の短手方向両側に設けられ、長手方向に延び、一端が外側に開放された４個のスリット（４’）と、を有し、コ字形に折り曲げられて脚部（１１）が形成されるＢ部材（２）と、
長手方向半分の長さに折り曲げ可能で、２枚からなる天板（３）と、
が備えられ、
Ａ部材（１）と３個のＢ部材（２）のスリット（４、４’）が、脚部（１０）と脚部（１１）が直交するように嵌合されて台座（５）が形成されると共に、
Ｂ部材（２）が平面視で直線となるように３個の台座（５）が一列に並べられて台座体（６）が形成され、
台座体（６）の上に天板（３）が載置されることを特徴とする段ボールベッド。
【請求項２】
前記Ａ部材（１）、前記Ｂ部材（２）、前記天板（３）が、強化段ボール（８）で形成されることを特徴とする請求項１に記載の段ボールベッド。
【請求項３】
段ボールベッドの長手方向の一側と、短手方向の両側に立設され、高さが８０〜１００ｃｍの段ボール衝立（９）が設けられることを特徴とする請求項１に記載の段ボールベッド。
【請求項４】
Ａ部材（１）とＢ部材（２）と天板（３）の１式が収納可能で、縦（Ｗ）と横（Ｄ）と高さ（Ｈ）の合計が２２０ｃｍ以下の段ボール収納箱（７）が設けられ、天板（３）が、長さ方向半分の箇所に設けられた折り曲げ線で折り曲げられて収納されることを特徴とする請求項１に記載の段ボールベッド。
【考案の詳細な説明】
【技術分野】
【０００１】
本考案は、段ボールベッドに係わり、より詳細には、構造が簡単で、簡単に組み立てでき、かさばらずに運搬できる段ボールベッドに関する。
【背景技術】
【０００２】
本出願人は、特許文献１において、嵌め込み式の伸縮可能な段ボールベッドを提案した。これに対し、所定の長さで、構造が簡単で、だれにでも簡単に組み立てでき、かさばらずに運搬できる段ボールベッド及び段ボールベッドの収納箱が求められている。
【先行技術文献】
【特許文献】
【０００３】
【特許文献１】特開２０１９−１２２６４４号公報
【考案の概要】
【考案が解決しようとする課題】
【０００４】
本考案の目的は、構造が簡単で、簡単に組み立てでき、かさばらずに運搬できる段ボールベッド及び段ボールベッドの収納箱を提供することにある。
【課題を解決するための手段】
【０００５】
本考案による段ボールベッドは、短手方向に沿って横並びの３個の開口孔（１ａ）と、開口孔（１ａ）の長手方向両端に設けられ、長手方向に延び、一端が開口孔（１ａ）に通じる１２個のスリット（４）と、を有し、コ字形に折り曲げられて脚部（１０）が形成されるＡ部材（１）と、長手方向の両端に設けられた切欠き孔（２ａ）と、切欠き孔（２ａ）の短手方向両側に設けられ、長手方向に延び、一端が外側に開放された４個のスリット（４’）と、を有し、コ字形に折り曲げられて脚部（１１）が形成されるＢ部材（２）と、長手方向半分の長さに折り曲げ可能で、２枚からなる天板（３）と、が備えられ、Ａ部材（１）と３個のＢ部材（２）のスリット（４、４’）が、脚部（１０）と脚部（１１）が直交するように嵌合されて台座（５）が形成されると共に、Ｂ部材（２）が平面視で直線となるように３個の台座（５）が一列に並べられて台座体（６）が形成され、台座体（６）の上に天板（３）が載置されることを特徴とする。
【０００６】
前記Ａ部材（１）、前記Ｂ部材（２）、前記天板（３）が、強化段ボール（８）で形成されることを特徴とする。
【０００７】
段ボールベッドの長手方向の一側と、短手方向の両側に立設され、高さが８０〜１００ｃｍの段ボール衝立て（９）が設けられることを特徴とする。
【０００８】
Ａ部材（１）とＢ部材（２）と天板（３）の１式が収納可能で、縦（Ｗ）と横（Ｄ）と高さ（Ｈ）の合計が２２０ｃｍ以下の段ボール収納箱（７）が設けられ、天板（３）が、長さ方向半分の箇所に設けられた折り曲げ線で折り曲げられて収納されることを特徴とする。
【考案の効果】
【０００９】
本考案による段ボールベッドは、Ａ部材と、Ｂ部材と、天板と、から構成され、Ａ部材に複数のＢ部材を嵌め込んで台座を形成し、３個の台座を一列に並べて台座体を形成し、その上に天板を載置するので、構造が簡単で、だれにでも組み立てができ、糊や道具も不要である。
また、Ａ部材に開口孔（１ａ）を設け、Ａ部材の開口孔（１ａ）をＢ部材が塞ぐように嵌合させるので、台座（５）の上面を平坦にできる。
また、切り欠き孔（２ａ）は、段ボールベッド下側の空気の流れをよくできる。
【００１０】
Ａ部材、Ｂ部材、天板に強化段ボールを使用したので、平均耐圧強度５トンを達成できる。
【００１１】
段ボールベッドの長手方向の一側と短手方向の両側に、高さ８０〜１００ｃｍの段ボール衝立を設けたので、段ボール衝立のない側の方向を一方向に向けて段ボールベッドを配置する場合、段ボールベッドに人が横になった時、隣の段ボールベッドに横になった人が見えないようにできる。
【００１２】
天板（３）が２つに折り曲げるだけで収納でき、Ａ部材とＢ部材と天板の１式が収納される縦（Ｗ）と横（Ｄ）と高さ（Ｈ）の合計が２２０ｃｍ以下の段ボール収納箱を設けた。これによれば、約９０ｃｍ×１９０ｃｍの天板（３）の場合、２つに折り曲げるだけで収納できる。具体的には、高さ（Ｈ）が約１５ｃｍ、縦（Ｗ）が約１０７ｃｍ、横（Ｄ）が約９３ｃｍの段ボール収納箱にできる。また、段ボール収納箱の縦（Ｗ）と横（Ｄ）と高さ（Ｈ）の合計は２１５ｃｍであり、高さが低くトラックの荷台に多数の段ボール収納箱を積層して運搬できる。倉庫での保管スペースも効率化できる。
【図面の簡単な説明】
【００１３】
【図１】本考案によるＡ部材の展開図である。
【図２】本考案によるＢ部材の展開図である。
【図３】強化段ボールの例を示す図である。
【図４】本考案による天板の展開図である。
【図５】台座の説明図である。
【図６】台座体と天板の関係を示す図である。
【図７】台座体の平面図である。
【図８】本考案による段ボールベッドの斜視図である。
【図９】本考案の段ボールベッドに段ボール衝立を設けた例である。
【図１０】本考案による段ボールベッドの収納箱の展開図である。
【考案を実施するための形態】
【００１４】
以下、添付の図面を参照して、段ボールベッドを詳しく説明する。
【００１５】
図１は、本考案によるＡ部材１の展開図である。縦（長手方向）が約１２２ｃｍ、横（短手方向）が９０ｃｍの大きさである。右下の丸は、段ボールであることを示す記号である。図１のＡ部材１を上段と中段と下段に分けて、中段には、３個の開口孔１ａがある。上段と下段には、開口孔１ａに通じて長手方向に延びるスリット４が設けられる。１つの開口孔１ａに４つのスリット４があり、３つの開口孔１ａがあるので、スリット４は４つ３組が設けられる。スリット４は、全部で１２個が設けられる。図１に示すように、上段に６つのスリット４が、下段に６つのスリット４が設けられる。上段と下段が折り曲げられて、台座５の脚部１０となる。破線は上段と中段と下段の３つに分ける折り曲げ線１ｂで、Ａ部材１を折り曲げることができる。Ａ部材１は、上段と下段が、紙面の奥方向に折り曲げられる。
【００１６】
図２は、本考案によるＢ部材２の展開図である。左下の丸は、段ボールであることを示す記号である。図２のＢ部材２を左側と中央と右側に分けて、左側と右側には、切り欠き孔２ａがある。スリット４’は、切欠き孔２ａの短手方向両側に設けられ、長手方向に延び、一端が外側に開放される。スリット４’は、４つ１組の全部で４つが設けられる。破線は左側と中央と右側の３つに分ける折り曲げ線２ｂで、Ｂ部材２を折り曲げることができる。左側と右側が折り曲げられて、台座５の脚部１１となる。Ｂ部材２は左側と右側が、例として紙面の奥方向に折り曲げられる。
【００１７】
図３は、強化段ボール８の例を示す図である。強化段ボール８は、中芯が２層又は３層のものがある。ここでは図３に示すように２層のものを使用した。強化段ボール８は、平均耐圧強度３トンを以上にできる。
【００１８】
図４は、本考案による天板３の展開図である。左側の丸は、段ボールであることを示す記号である。天板３は平板で、図３（Ｂ）に示すように強度を持たせるため強化段ボール８を２枚使用して構成した。図３（Ａ）の平面図に示すように、中央には、折り曲げ線３ｂを設けた。天板３が長さ方向の半分の箇所に設けた折り曲げ線３ｂで折り曲げることができるので、天板３の収納が嵩張らないようにできる。本実施例では、天板３は横が約１９０ｃｍ、縦が約９０ｃｍである。ベッドの寸法はＭサイズになる。折り曲げ線３ｂは、長手方向半分の約９５ｃｍの所にある。
【００１９】
図５は、台座５の説明図である。台座５は、折り曲げられて下向きに開口するコ字形の１つのＡ部材１と、折り曲げられて下向きに開口するコ字形の３つのＢ部材２とからなる。Ａ部材１とＢ部材２は、互いにスリット４、４’で嵌合される。本実施例では、台座５は、１つのＡ部材１と、３つのＢ部材２からなる。折り曲げてなるＡ部材１の脚部１０、１０は、前後方向に延びている。一方、折り曲げてなるＢ部材２の脚部１１、１１は、左右方向に延びている。ここで、スリット４、４’の嵌合は、脚部１０、１０と、脚部１１、１１が直交するように行なわれる。
【００２０】
図６は、台座体６と天板３の説明図である。本実施例では台座体６は３つの台座５からなる。３つの台座５を一列に並べて台座体６とした。天板３は、台座体６の上に載置するだけである。
【００２１】
図７は、複数の台座５からなる台座体６の平面図である。本実施例では、台座体６は３つの台座５からなるとした。図７に示すように、Ａ部材１とＢ部材２の脚部１０、１１が、交差するように台座体６の内部を支持するので、この実施例の段ボールベッド１００の平面耐圧強度は、約５トンに耐えることができる。
【００２２】
図８は、本考案による段ボールベッド１００の斜視図である。段ボールベッド１００は、正面側に、台座５を構成するＢ部材２の切り欠き開口部２ａが見える。つまり、台座５、５、５は、切り欠き孔２ａが正面を向くように一列に並べて台座体６としている。つまり、３つの台座５を一列に並べた時、台座５のＢ部材２が平面視で直線となるように並べられて、台座体６が形成される。
【００２３】
図９は、本考案の段ボールベッド１００に段ボール衝立９を設けた例である。段ボールベッド１００の長手方向の一側と、短手方向の両側に立設され、高さが８０〜１００ｃｍの段ボール衝立て９を設けた。これによれば、頭部分の衝立だけではなく、側面と足側にも段ボール衝立９を設けたので、段ボール衝立９が３方向を囲むので、段ボールベッド１００への人の上がり込みが容易である。また、段ボール衝立９のない側を一方向に向けて複数の段ボールベッドを配置する場合、段ボールベッド１００に人が横になった時、隣の段ボールベッド１００に横になった人の姿が見えないようにできる。
【００２４】
図１０は、本考案による段ボールベッド１００の段ボール収納箱７の展開図である。左側の丸は、段ボールであることを示す記号である。段ボール収納箱７の縦（Ｗ）と横（Ｄ）と高さ（Ｈ）の長さの合計が２２０ｃｍ以下の寸法にした。縦（Ｗ）は、約１０７ｃｍ（Ｌ２参照）で、横（Ｄ）は、約９３ｃｍ（Ｌ３参照）で、高さ（Ｈ）は１５ｃｍ（Ｌ１参照）とした。段ボール収納箱７には段ボールベッド１００を構成する１式（ベッド１台の部材）のＡ部材１とＢ部材２と天板３を収納できる。天板３は、２つに折り曲げた場合、９００ｍｍ×９５０ｍｍになるので、Ｌ２×Ｌ３の中に入る。Ａ部材１は、縦が約１２２ｃｍ、横が９０ｃｍの大きさなので、折り曲げ線で折り曲げることで収納できる。Ｂ部材２は、長手方向が長いが、Ｌ２の１０７ｃｍよりは短いので、横向きにすれば折り曲げなくても収納できる。折り曲げて収納してもよい。このような寸法は、一般の宅配業者が取り扱うサイズでもあり、都合がよい。
【産業上の利用可能性】
【００２５】
本考案は、構造が簡単で、簡単に組み立てでき、かさばらずに運搬できる段ボールベッドとして好適である。また、本段ボールベッド１００は長椅子やベンチとしても使用できる。災害時の避難所に設置する設備として多数を購入した場合でも、畳んで収納できることから、保管場所の確保が容易である。
【符号の説明】
【００２６】
１    Ａ部材
１ａ    開口孔
１ｂ    折り曲げ線
２    Ｂ部材
２ａ    切り欠き孔
２ｂ    折り曲げ線
３    天板
３ｂ    折り曲げ線
４、４’    スリット
５    台座
６    台座体
７    段ボール収納箱
８    強化段ボール
９    段ボール衝立
１０    （Ａ部材の）脚部
１１    （Ｂ部材の）脚部
１００    段ボールベッド
【図１】
0003226650.tif 000003
【図２】
0003226650.tif 000004
【図３】
0003226650.tif 000005
【図４】
0003226650.tif 000006
【図５】
0003226650.tif 000007
【図６】
0003226650.tif 000008
【図７】
0003226650.tif 000009
【図８】
0003226650.tif 000010
【図９】
0003226650.tif 000011
【図１０】
0003226650.tif 000012